(57)【要約】【課題】セル面内に複数の発電部が分割して配置された燃料電池セルを積層した燃料電池スタックにおいて、各発電部を流れる電流ばらつきを抑制することができる燃料電池スタックを提供する。【解決手段】本発明の燃料電池スタックの一態様は、セル面内に複数の発電部が分割して配置された燃料電池セルを積層した燃料電池スタックであって、複数の燃料電池セルの間に設けられ、積層された燃料電池同士を電気的に接続する導電層と、一の燃料電池セルと他の燃料電池セルとの間に設けられた、一枚の金属板と、を有し、一枚の金属板により一の燃料電池セルの発電部及び他の燃料電池セルの発電部が接続され、かつ、同一の燃料電池セル内の複数の発電部が電気的に接続されたものである。【選択図】図１
2018060718.tif 000002
【特許請求の範囲】
【請求項１】
セル面内に複数の発電部が分割して配置された燃料電池セルを積層した燃料電池スタックであって、
前記複数の燃料電池セルの間に設けられ、積層された燃料電池同士を電気的に接続する導電層と、
一の燃料電池セルと他の燃料電池セルとの間に設けられた、一枚の金属板と、
を有し、
前記一枚の金属板により一の燃料電池セルの発電部及び他の燃料電池セルの発電部が接続され、かつ、同一の燃料電池セル内の複数の発電部が電気的に接続された、
燃料電池スタック。
【請求項２】
前記金属板は、Ｐｔ、Ｐｄ、Ｃｕ、Ａｇ、Ａｕ、Ｒｕ、Ｒｈ、Ｎｉ、Ｆｅ、Ｃｒからなる群から選択される１種を含む、
請求項１記載の燃料電池スタック。
【請求項３】
前記導電層は、ＬａＳｒＣｏＯ3、ＬａＳｒＣｏＦｅＯ3、ＭｎＣｏＯ3、ＳｍＳｒＣｏＯ3、ＬａＣａＭｎＯ3、ＬａＣａＣｏＯ3、ＬａＣａＣｏＦｅＯ3、ＬａＮｉＦｅＯ3、（ＬａＳｒ）2ＮｉＯ4からなる群から選択される１種を含む、
請求項１又は２に記載の燃料電池スタック。
【請求項４】
前記燃料電池セルは、空気又は燃料を通過させる複数の流路を備え、
前記金属板にはめ込まれた、一の燃料電池セルの流路と他の燃料電池セルの流路を連結するスペーサを備える、
請求項１〜３のいずれか一項に記載の燃料電池スタック。
【発明の詳細な説明】
【技術分野】
【０００１】
本発明は、燃料電池スタックに関する。
【背景技術】
【０００２】
従来、固体酸化物電解質を用いた固体酸化物形燃料電池が種々提案されている。固体酸化物形燃料電池では、十分な電圧を得るために、複数の燃料電池セルが積層されている。それによって、燃料電池スタックが構成されている。セラミックスを用いて燃料電池セルを形成した場合、セラミックスの熱伝導率が低いことから、セラミックスを用いた燃料電池セルの積層数を増加させると、発電によって生じた熱が燃料電池スタックの中心付近にとどまる傾向にある。そのため、燃料電池セル面において熱分布が生じ、熱応力による燃料電池セルにクラックが生じる。
【０００３】
このような問題を回避すべく、特許文献１には、燃料電池セル間に金属板を含む接合部を設けた燃料電池スタックが開示されている。特許文献１では、金属板は平面方向において複数分割して設けられている。燃料電池スタックを構成する１つの燃料電池セルは、セル面内の各象限に複数の発電部が分割して配置されている。特許文献１に示す燃料電池スタックでは、縦方向に積層された各燃料電池セルの同一象限の発電部が直列に電気接続されている。
【先行技術文献】
【特許文献】
【０００４】
【特許文献１】国際公開公報第２０１５／０４５９８６号
【発明の概要】
【発明が解決しようとする課題】
【０００５】
特許文献１に示す燃料電池スタックでは、４つの象限が電気的に独立しているため、各象限のスタックの抵抗ばらつきに応じて流れる電流値がばらつき、その影響でスタック電圧が象限間によって大きくばらつく現象が生じた。この現象は、スタックの段数が大きくなるとより顕著に現れる。全段の抵抗が小さい象限には電流が多く流れるが、このような象限のスタック中には接合状態等に起因して抵抗が高い部分が存在し得る。この場合、その抵抗が高い部分に大きな電流が流れることとなり、その箇所はジュール熱によって局所的な発熱が起こり、長期的な耐久性が低下するおそれがある。また、ユニット間で流れる電流が異なれば、発電による発熱量も異なり、温度ばらつきの要因にもなる。
【０００６】
本発明はこのような事情に鑑みてなされたものであり、セル面内に複数の発電部が分割して配置された燃料電池セルを積層した燃料電池スタックにおいて、各発電部を流れる電流ばらつきを抑制することができる燃料電池スタックを提供する。
【課題を解決するための手段】
【０００７】
本発明の燃料電池スタックの一態様は、セル面内に複数の発電部が分割して配置された燃料電池セルを積層した燃料電池スタックであって、前記複数の燃料電池セルの間に設けられ、積層された燃料電池同士を電気的に接続する導電層と、一の燃料電池セルと他の燃料電池セルとの間に設けられた、一枚の金属板と、を有し、前記一枚の金属板により一の燃料電池セルの発電部及び他の燃料電池セルの発電部が接続され、かつ、同一の燃料電池セル内の複数の発電部が電気的に接続されたものである。
【発明の効果】
【０００８】
本発明によれば、セル面内に複数の発電部が分割して配置された燃料電池セルを積層した燃料電池スタックにおいて、各発電部を流れる電流ばらつきを抑制することができる。
【図面の簡単な説明】
【０００９】
【図１】本実施形態に係る燃料電池スタックの要部を示す略図的正面断面図である。
【図２】本実施形態の燃料電池スタックに用いられている１つの燃料電池セルの分解斜視図である。
【図３】本実施形態に係る燃料電池スタックに用いられている１つの燃料電池セルの平面図である。
【図４】３層の燃料電池セル２を含む燃料電池スタック１の斜視図である。
【図５】本実施形態の燃料電池スタックの一部を模式的に示す斜視図である。
【図６】本実施形態に係る燃料電池スタックに用いられている金属板のレイアウトを示す図である。
【図７】図７は、発電時における燃料電池スタックへの電流の流れを説明するための概略図であり、（ａ）は本実施形態の図、（ｂ）は従来例の図を示す。
【発明を実施するための形態】
【００１０】
（第１実施形態）
図１は、本発明の第１の実施形態に係る燃料電池スタックの略図的正面断面図である。
【００１１】
燃料電池スタック１は、複数積層された燃料電池セル２を備える。このうち、一の燃料電池セル２と、他の燃料電池セル２の間には、一枚の金属板１１が設けられている。金属板１１は、燃料電池スタックの発熱を放散するために挿入される。各燃料電池セル２は、貫通孔５ａ，５ｂを備えており、上下の燃料電池セル２を貫通する流路が形成されている。金属板１１には、流路を取り囲むリング状のスペーサ１６がはめ込まれている。２つの燃料セル２の間及び燃料電池セル２と金属板１１との間には、両者を電気的に接続する導電層１２が設けられている。燃料電池セル２とスペーサ１６との間には接着剤層１５が設けられている。
【００１２】
図１では、金属板１１の両側にそれぞれ２つの燃料電池セル２が積層されている状態を示しているが、燃料電池セル２の外側にはさらに複数の燃料電池セルが積層されている。また、図１に示す燃料電池セル２外側に配置された積層体中の特定の部位に金属板がさらに挿入されている。例えば、燃料電池セル２の数段おきに金属板１１が挿入されている。図２及び図３を参照して、１つの燃料電池セル２の詳細を説明する。
【００１３】
図２に示すように、燃料電池セル２は、固体酸化物電解質層７を有する。固体酸化物電解質層７は、イオン導電性が高いセラミックスからなる。このような材料としては、例えば、安定化ジルコニアや部分安定化ジルコニアなどを挙げることができる。より具体的には、イットリウムやスカンジウムにより安定化されたジルコニアが挙げられる。安定化ジルコニアとしては、例えば、１０モル％イットリア安定化ジルコニア（１０ＹＳＺ）、１１モル％スカンジア安定化ジルコニア（１１ＳｃＳＺ）などを挙げることができる。部分安定化ジルコニアとしては、例えば、３モル％イットリア部分安定化ジルコニア（３ＹＳＺ）などを挙げることができる。
【００１４】
なお、上記固体酸化物電解質層７を構成する材料は上記に限定されず、ＳｍやＧｄがドープされたセリア系酸化物や、Ｌａ0.8Ｓｒ0.2Ｇａ0.8Ｍｎ0.2Ｏ(3-δ)などのペロブスカイト型酸化物などにより形成してもよい。なお、δは、３未満の正の数を示す。
【００１５】
固体酸化物電解質層７には、貫通孔７ａと貫通孔７ｂとが設けられている。貫通孔７ａは、燃料ガス流路を構成している。貫通孔７ｂは、酸化剤ガスとしての空気を通す空気流路を構成している。
【００１６】
固体酸化物電解質層７の上方に燃料極層６が積層されている。燃料極層６は、Ｎｉを含むイットリア安定化ジルコニアや、Ｎｉを含むスカンジア安定化ジルコニアなどにより構成することができる。燃料極層６には、燃料ガス流路を構成する貫通孔６ａと、空気流路を構成する貫通孔６ｂとが設けられている。また、燃料極層６の内部には貫通孔６ａに連通する燃料ガス流路が面内に形成されており、貫通孔６ａから供給された燃料ガスは燃料極層６内の燃料ガス流路を通って端面から放出される。
【００１７】
上記燃料極層６上にセパレータ５が積層されている。セパレータ５は、安定化ジルコニアや部分安定化ジルコニアなどにより形成され得る。セパレータ５に、貫通孔５ａ，５ｂが形成されている。貫通孔５ａは、燃料ガス流路を構成している。貫通孔５ｂは、空気流路を構成している。
【００１８】
セパレータ５には、電気を取り出すための複数本のインターコネクタ５ｃがセパレータ５の上面から下面を貫くように設けられている。すなわち、ビアホール導体により各インターコネクタ５ｃが形成されている。複数本のインターコネクタ５ｃは、上記燃料極層６に電気的に接続されている。
【００１９】
固体酸化物電解質層７の下方には、空気極層８及びセパレータ９が積層されている。空気極層８には、燃料ガス流路を構成する貫通孔８ａと、空気流路を構成する貫通孔８ｂとが設けられている。空気極層８は、電子伝導性が高く、かつ多孔質の材料からなることが好ましい。このような空気極層８は、例えば、スカンジア安定化ジルコニア（ＳｃＳＺ）、Ｇｄがドープされたセリア、Ｓｎがドープされた酸化インジウム、ＰｒＣｏＯ3系酸化物、ＬａＣｏＯ3系酸化物、又はＬａＭｎＯ3系酸化物などにより形成することができる。ＬａＭｏＯ3系酸化物としては、例えば、Ｌａ0.8Ｓｒ0.2ＭｎＯ3（以下においてＬＳＭと略す）や、Ｌａ0.6Ｃａ0.4ＭｎＯ3（以下においてＬＣＭと略す）などが挙げられる。また、空気極層８の内部には貫通孔８ｂに連通する空気流路が面内に形成されており、貫通孔８ｂから供給された空気は空気極層８内の空気流路を通って端面から放出される。
【００２０】
セパレータ９はセパレータ５と同様に構成されている。従って、燃料ガス流路を構成する貫通孔９ａと、空気流路を構成する貫通孔９ｂと、複数本のインターコネクタ９ｃとを有する。
【００２１】
図３は、この単一の燃料電池セル２の平面図を示す。図３に示すように燃料電池セル２は、セル面内の各象限に４つの発電部２ｂ，２ｃ，２ｄ，２ｅが分割して配置されている。４つの発電部２ｂ，２ｃ，２ｄ，２ｅの間の十字状の領域２ａには、燃料ガス流路を構成する貫通孔５ａと、空気流路を構成する貫通孔５ｂとが配置されている。
【００２２】
図４は、３層の燃料電池セル２を含む燃料電池スタック１の斜視図である。図４に示すように、燃料電池スタック１の上下から燃料ガス及び空気が供給される。燃料ガスが各燃料電池セル２の燃料極層６に供給され、各燃料極層６の端面から放出される。また、空気が各燃料電池セル２の空気極層８に供給され、各空気極層８の端面から放出される。
【００２３】
図５は、本実施形態に係る燃料電池スタック１の一部を示す斜視図である。図５に示す例では、５段の燃料電池セル２おきに１枚の金属板１１が挿入されている。ただし、燃料電池セル２の段数（積層数）及び金属板１１の総数に限定はない。図示はしないが、最上層の燃料電池セル２の上層には上集電板が配置され、最下層の燃料電池セル２の下層には下集電板が配置される。上集電板の上層にはさらにセパレータ板が配置され、下集電板の下層にはセパレータ板が配置される。
【００２４】
上述した燃料電池セル２では、燃料電池セルを構成する要素としてセラミックスを用いることにより、燃料電池セル２を一括して共焼結して形成できる利点がある。燃料電池セル２に金属を用いないことにより、カソード（空気極層８）を被毒するクロムの発生源をなくすことができ、金属/セラミックスのシール箇所をなくすことができるという利点もある。その反面、セパレータ５，９の熱伝導度が低いので、発電により生じた熱が放散せず、熱応力がかかりやすい。このため、図５に示すように燃料電池セル２の数段おきに金属板（均熱板）を設け、発熱によって生じるセル面内温度分布を均一化させている。
【００２５】
図１に戻り、金属板１１は、上方の燃料電池セル２の発電部及び下方の燃料電池セル２の発電部を電気的に接続するとともに、セル２面内の複数の発電部同士を電気的に接続している。
【００２６】
金属板１１を構成する材料は、特に限定されないが、Ｐｔ、Ｐｄ、Ｃｕ、Ａｇ、Ａｕ、Ｒｕ、Ｒｈ、Ｎｉ、Ｆｅ、Ｃｒからなる群から選択される１種を含むものであることが好ましい、これにより、耐熱性と熱伝導性に優れ、燃料電池の動作環境下で安定である。
【００２７】
金属板１１として、金属メッシュを用いてもよく、あるいは金属発泡体もしくは多孔質金属を用いてもよい。金属メッシュ、金属発泡体又は多孔質金属を用いた場合、熱が加えられた際の応力に対する追随性を高めることができ、それによって電気的接続の信頼性をより一層高めることができる。
【００２８】
金属板１１の上面及び下面に、それぞれ、導電層１２が設けられている。導電層１２により、上方の燃料電池セル２と、金属層１１と、下方の燃料電池セル２とが接合されて、電気的に接続されている。
【００２９】
上記導電層１２は、ＬＳＭのような導電性セラミックスからなることが望ましい。このような導電性セラミックスとしては、ＬａＳｒＣｏＯ3、ＬａＳｒＣｏＦｅＯ3、ＭｎＣｏＯ3、ＳｍＳｒＣｏＯ3、ＬａＣａＭｎＯ3、ＬａＣａＣｏＯ3、ＬａＣａＣｏＦｅＯ3、ＬａＮｉＦｅＯ3、（ＬａＳｒ）2ＮｉＯ4からなる群から選択される１種を好適に用いることができる。これらの材料は、燃料電池の動作環境で安定で、かつ高い導電性をもつという利点がある。
【００３０】
本実施形態では、流路を構成する貫通孔５ａ，５ｂの部位において、シール材となる接着剤層１５及びスペーサ１６の積層構造を有する。ここで、スペーサ１６は、燃料電池セル２，２間の距離が大きい場合、接着を容易とするために用いられている。このようなスペーサ１６を構成する材料としては、燃料電池セル２を構成しているセラミックスと熱膨張係数が近い材料が望ましい。
【００３１】
本実施形態では、接着剤層１５により、燃料電池セル２，２が上記スペーサ１６を介在させて接着されている。接着剤層１５は、本実施形態では、ガラス系接着剤からなる。より具体的には、ガラスセラミックスを主体とするガラス系接着剤が用いられている。
【００３２】
図６は、本実施形態に係る燃料電池スタックに用いられている金属板１１のレイアウトを示す図である。
【００３３】
図６に示すように、金属板１１には、図３の貫通孔５ａに対応する部位に貫通孔１１ａが設けられ、図３の貫通孔５ｂに対応する部位に貫通孔１１ｂが設けられている。貫通孔１１ａ，１１ｂは、燃料電池セル２の貫通孔５ａ，５ｂの径よりも大きい。そして、金属板１１の貫通孔１１ａ，１１ｂ内には、リング状のスペーサ１６（図１）がはめ込まれる。スペーサ１６の中空部により、上下のセルを貫通する燃料ガス流路及び空気流路が確保される。
【００３４】
上記構成では、燃料電池セル２の発電部２ｂ〜２ｅに対応する位置に一枚の金属板１１が配置されていることにより、上下の燃料電池セル２の発電部２ｂ〜２ｅが電気的に接続されている。また、熱伝導率の低いセラミックスにより構成される発電部２ｂ〜２ｅから生じた熱を効率的に伝導させて熱の均一化を図ることができる。このため、熱が集中することによる燃料電池セル２へのクラックの発生が抑制される。
【００３５】
貫通孔５ａ，５ｂに対応する位置にスペーサ１６を配置することとしたのは、セラミックスにより構成される燃料電池セル２と金属板１１とは熱膨張係数の差が大きいことから、発電時の熱変形により上下の接合に隙間が生じる可能性がある。発電部２ｂ〜２ｅにおいて隙間が生じても問題はないが、貫通孔５ａ，５ｂにおいて隙間が生じると、燃料ガス又は空気のガスリークを生じてしまい、燃料利用率、空気利用率の低下がおきる。このため、貫通孔５ａ，５ｂにおいては、燃料電池セル２（より具体的には固体酸化物電解質層７）と熱膨張係数が近いセラミックスからなるスペーサ１６を配置することとしている。具体的には、スペーサ１６と燃料電池セル２の熱膨張係数の差は５％以内であることが好ましく、２ｐｐｍ／℃以内であることが好ましい。
【００３６】
スペーサ１６の材料としては、例えば、安定化ジルコニアや部分安定化ジルコニアなどを挙げることができる。より具体的には、イットリウムやスカンジウムにより安定化されたジルコニアが挙げられる。安定化ジルコニアとしては、例えば、１０モル％イットリア安定化ジルコニア（１０ＹＳＺ）、１１モル％スカンジア安定化ジルコニア（１１ＳｃＳＺ）などを挙げることができる。部分安定化ジルコニアとしては、例えば、３モル％イットリア部分安定化ジルコニア（３ＹＳＺ）などを挙げることができる。
【００３７】
上下の燃料電池セル２からの熱の均一化及び熱の放散を図るためには、金属板１１の厚さが数ｍｍ程度、例えば３〜４ｍｍ程度必要となる。
【００３８】
図７は、発電時における燃料電池スタックへの電流の流れを説明するための概略図であり、（ａ）は本実施形態の図、（ｂ）は従来例の図を示す。図７では、６段の燃料電池セル２毎に金属板が配置されている。燃料電池スタック１は、燃料電池セル２の発電部２ｂのスタック１Ｂと、燃料電池セル２の発電部２ｃのスタック１Ｃと、燃料電池セル２の発電部２ｄのスタック１Ｄと、燃料電池セル２の発電部２ｅのスタック１Ｅを有する。
【００３９】
図７（ａ）では、スタック１Ｂ〜１Ｅに共通する一枚の金属板１１を用いることにより、各スタック１Ｂ〜１Ｅは金属板１１により小ユニット（図７では６段）に分割されている。これに対して、図７（ｂ）では、スタック１Ｂ〜１Ｅに対応する分離した金属板１１Ｂ〜１１Ｅが配置されている。金属板１１に挟まれた小ユニットの抵抗ばらつきは、全段分の抵抗ばらつきと比較すると小さいため、小ユニットを流れる電流ばらつきは小さくなる。この現象は、先述した局所的な劣化が小さく抑える効果があり、長期的な耐久性を向上させることが可能となる。
【００４０】
表１及び表２は、実際のデータの一例である。表１は、１２段スタックの両側にそれぞれ一枚の金属板１１を配置した本実施形態の構造における象限間のスタック電圧を測定した結果を示す。表２は、３段スタックの両側に４分割の金属板をそれぞれ配置した比較例の構造における象限間のスタック電圧を測定した結果を示す。表中、「スタック電圧」は、４つのスタック電圧の平均値を示す。「正方向ばらつき」は、「スタック電圧」に対する、４象限のうち最も大きいスタック電圧のばらつきを示す。「負方向ばらつき」は、「スタック電圧」に対する、４象限のうち最も小さいスタック電圧のばらつきを示す。
【００４１】
【表１】
2018060718.tif 000003
【００４２】
【表２】
2018060718.tif 000004
【００４３】
表１及び２に示すように、４分割の金属板で３段スタックを測定したときの象限間のスタック電圧のばらつきが、０．８％であったのに対して、一体もの金属板で１２段スタックを測定したときの象限間のスタック電圧のばらつきは、０．０６％であり、段数が４倍であるにもかかわらず一桁以上の改善が見られた。
【００４４】
一枚の金属板１１を用いる効果は、スタック電圧のばらつきを抑える以外の効果もある。燃料電池スタック１を製作する際に、導電層１２を燃料電池セルと燃料電池セルの間や燃料電池セルと金属板１１の間に挿入し、加圧焼成することで、燃料電池セル２や金属板１１の表面形状にならわせている。ここで、金属板を分割した状態で加圧焼成すると、金属板の上側と下側の導電層のつぶれ方に、象限間でばらつきができやすく、象限間の抵抗ばらつきが生じやすい。これを一枚の金属板１１を用いることで、同一面内での加圧となるため、導電層１２のつぶし方にばらつきができにくく、抵抗ばらつきが生じにくいという効果もある。
【００４５】
以上、本発明の例示的な実施形態について説明した。
【００４６】
本実施形態に係る燃料電池スタックは、セル面内に複数の発電部が分割して配置された燃料電池セルを積層した燃料電池スタックであって、複数の燃料電池セルの間に設けられ、積層された燃料電池同士を電気的に接続する導電層と、一の燃料電池セルと他の燃料電池セルとの間に設けられた、一枚の金属板と、を有し、一枚の金属板により一の燃料電池セルの発電部及び他の燃料電池セルの発電部が接続され、かつ、同一の燃料電池セル内の複数の発電部が電気的に接続されたものである。これにより、金属板が等電位層となることから、燃料電池スタック中を別々に流れる電流が通過する段数が減少する。このため、燃料電池スタック中を別々に流れる電流の電流ばらつきが小さくなり、その結果、局所的な劣化が小さく抑えられ、長期的な耐久性を向上させることが可能となる。
【００４７】
金属板は、Ｐｔ、Ｐｄ、Ｃｕ、Ａｇ、Ａｕ、Ｒｕ、Ｒｈ、Ｎｉ、Ｆｅ、Ｃｒからなる群から選択される１種を含む。これらの材料は、耐熱性と熱伝導性に優れ、燃料電池の動作環境下で安定である。
【００４８】
導電層は、ＬａＳｒＣｏＯ3、ＬａＳｒＣｏＦｅＯ3、ＭｎＣｏＯ3、ＳｍＳｒＣｏＯ3、ＬａＣａＭｎＯ3、ＬａＣａＣｏＯ3、ＬａＣａＣｏＦｅＯ3、ＬａＮｉＦｅＯ3、（ＬａＳｒ）2ＮｉＯ4からなる群から選択される１種を含む。これらの材料は、燃料電池の動作環境下で安定で、かつ高い導電性をもつ。
【００４９】
燃料電池セルは、空気又は燃料を通過させる複数の流路を備え、金属板にはめ込まれた、一の燃料電池セルの流路と他の燃料電池セルの流路を連結するスペーサを備える。金属板以外のスペーサを用いることにより、燃料電池セルの流路の連結部からの漏れを防止することができる。
【００５０】
なお、以上説明した各実施形態は、本発明の理解を容易にするためのものであり、本発明を限定して解釈するためのものではない。本発明は、その趣旨を逸脱することなく、変更／改良され得るととともに、本発明にはその等価物も含まれる。即ち、各実施形態に当業者が適宜設計変更を加えたものも、本発明の特徴を備えている限り、本発明の範囲に包含される。例えば、各実施形態が備える各要素及びその配置、材料、条件、形状、サイズなどは、例示したものに限定されるわけではなく適宜変更することができる。さらに、図面の寸法比率は図示の比率に限られるものではない。また、各実施形態は例示であり、異なる実施形態で示した構成の部分的な置換又は組み合わせが可能であることは言うまでもなく、これらも本発明の特徴を含む限り本発明の範囲に包含される。
【符号の説明】
【００５１】
１…燃料電池スタック
２…燃料電池セル
２ａ…領域
２ｂ〜２ｅ…発電部
５…セパレータ
５ａ，５ｂ…貫通孔
５ｃ…インターコネクタ
６…燃料極層
６ａ，６ｂ…貫通孔
７…固体酸化物電解質層
７ａ，７ｂ…貫通孔
８…空気極層
８ａ，８ｂ…貫通孔
９…セパレータ
９ａ，９ｂ…貫通孔
９ｃ…インターコネクタ
１１…金属板
１２…導電層
１５…接着剤層
１６…スペーサ
【図１】
2018060718.tif 000005
【図２】
2018060718.tif 000006
【図３】
2018060718.tif 000007
【図４】
2018060718.tif 000008
【図５】
2018060718.tif 000009
【図６】
2018060718.tif 000010
【図７】
2018060718.tif 000011